(57)【要約】【課題】前後方向寸法が異なる種々の便器上面設備に対し、共通のベースプレートを採用し、コストダウンを図ることが可能となる便器上面設備を提供する。【解決手段】前半体２と後半体３との２体にて構成されている。前半体２は、洋風便器後部上面の前部側に配置され、後半体３は、洋風便器後部上面の後部側に配置される。前半体２の後縁中央からは前方に向って食い込むように凹所２Ａが形成され、後半体３の前縁中央からは前方に向って舌片状の凸所３Ａが突設されている。タンクカバー２２の前後寸法に合わせて前半体２と後半体３との間隔を調整する。【選択図】  図１
2004346572.tif 000002
【特許請求の範囲】
【請求項１】
洋風便器の後部上面に設置される便器上面設備であって、
ベースプレートと、該ベースプレートに上方から結合したカバーとによって外殻が構成されている便器上面設備において、
該ベースプレートは、該洋風便器の後部上面の前側に配置される前半体と、該後部上面の後側に配置される後半体とを有することを特徴とする便器上面設備。
【請求項２】
請求項１において、該前半体と後半体との一方に、前後方向に延在した凹所が設けられ、他方に、該凹所に係合した凸所が設けられていることを特徴とする便器上面設備。
【請求項３】
請求項１又は２において、便器上面設備の前後寸法に合わせて該前半体と後半体とが前後方向に位置調整されていることを特徴とする便器上面設備。
【発明の詳細な説明】
【０００１】
【発明の属する技術分野】
本発明は、洋風便器の後部上面に設置される便器上面設備に係り、特にベースプレートの構成が改良された便器上面設備に関する。
【０００２】
【従来の技術】
人体臀部に温水を注ぎかけて洗浄するための温水洗浄装置付きの洋風便器にあっては、例えば洋風便器の後部上面に設置されたタンクカバーや便座ボックス等の便器上面設備内に洗浄ノズルが設置されている。この洗浄ノズルに温水タンクから温水が供給され、ノズル本体が前進（突出）し、その先端から温水が上向きに噴出する。
【０００３】
図３はこの種の洋風便器設備の構成を示す透視斜視図である。図示の通り、洋風便器１０の便鉢１１よりも後方の後部上面のベースプレート１２上に温水タンク１４、ロータンク１６、温風乾燥装置１８、脱臭ファン２０等の機器が設置され、これらの機器を覆うようにロータンクカバー２２がベースプレート１２上に設置されている。このロータンクカバー２２は、カバー本体部２４とカバーフタ２６とからなり、該カバーフタ２６には手洗鉢部２８及び手洗吐水口３４などが設けられている。カバー本体部２４の前部に便座３０及び便蓋３２が起倒方向回動可能に取り付けられている。
【０００４】
なお、前記脱臭ファン２０の排気は脱臭カートリッジ３６を通って脱臭処理された後、タンクカバー２２の下部の排気口３８を通ってトイレルーム内へ放出される。この従来例にあっては、後述の通りこの排気口３８を通して脱臭カートリッジ３６を取り替えるようになっており、排気口３８が取替口としても機能している。
【０００５】
ロータンク１６の前面に、各装置を制御する制御回路を搭載した回路基板４０が設置されている。
【０００６】
ロータンク１６内の水は、ハンドル４２又はモータ４４で開弁操作されるフロート弁装置（図示略）を介して洋風便器１０へ供給される。この従来例では、このフロート弁装置の下端が図２に示すディストリビュータ（分配器）４５を介して便鉢１１のリム部へ供給される。ディストリビュータを用いることなく、フロート弁装置の下端を、洋風便器１０の給水受入口に対しパッキンによって水密的に接続する密結式タンクも広く用いられている。
【０００７】
ロータンク１６内には、ボールタップ４６から流出する清水を貯留するためのサービスタンク４８が設置されており、このサービスタンク４８内の清水が前記温水タンク１４へ供給される。この温水タンク１４内の温水は、ポンプ５０、メインバルブ５２及び切替バルブ５４を介して第１洗浄ノズル６０又は第２洗浄ノズル６２へ供給される。
【０００８】
このタンクカバー２２内にトイレルーム内の暖房用の温風ファン７０が設置されている。この温風ファン７０からの温風は洋風便器１０の後部側面に沿って吹出る。
【０００９】
上記温風乾燥装置１８は、温風ファンと、該温風ファンからの温風を吹出口に導くダクトとを備えている。
【００１０】
従来のタンクカバーあるいは便座ボックスにあっては、図２に示されるように、それらのベースプレート１２は１枚物よりなり、通常は合成樹脂の射出成形により成形されたものである。
【００１１】
この図２の（ａ）図はディストリビュータを有する洋風便器の斜視図、（ｂ）図はこの洋風便器と便器上面設備のベースプレートとの係合関係を示す斜視図である。この（ｂ）図では便器上面設備のベースプレート１２のみが図示されているが、実際にはベースプレート１２の上に種々の機器が搭載され、これらの機器を覆うようにカバーが被装され、このカバーの下縁とベースプレートの周縁とがビス留め等により固着されている。
【００１２】
洋風便器１０には、便座取付ボルトの挿通孔１０，１０ａが便鉢１１の後縁近傍に上下方向に貫設されている。また、ロータンク取付ボルトの挿通孔１０ｂ，１０ｂが洋風便器後縁近傍に貫設されている。
【００１３】
ベースプレート１２には、前縁側にボルト挿通孔１２ａ，１２ａが設けられ、後縁側にボルト挿通孔１２ｂ，１２ｂが設けられている。これらのボルト挿通孔１２ａ，１２ｂに挿通されたボルトが該挿通孔１０ａ，１２ｂに挿通され、下方からナット締めが行われることにより、ベースプレート１２が洋風便器に固定される。このベースプレートに対しタンクカバーが連結されているので、ベースプレート１２を固定することにより便器上面設備が洋風便器１０に固定される。
【００１４】
ベースプレート１２には、ロータンクのフロート弁の下端部を下方に臨ませるための開口１２ｃが設けられている。
【００１５】
なお、特開平１０−１９５９５８号公報には、便器上面設備の前縁部と洋風便器後部上面との間に出し入れ自在なプレートを介在させることが記載されているが、同号のプレートは便器上面設備の前縁部と洋風便器後部上面との間の清掃用間隙を塞いでおくための挿入体であり、便器上面設備の底面のベースプレートとは異なるものである。
【００１６】
【特許文献１】
特開平１０−１９５９５８号公報
【００１７】
【発明が解決しようとする課題】
洋風便器の便鉢後縁から洋風便器の後端までの長さＬ（図２（ａ）参照）は一定のものではなく、便器の機種によって種々異なる。このため、洋風便器の後部上面に設置される便器上面設備としても、前後寸法の異なる複数の機種を製作する必要がある。
【００１８】
本発明は、前後寸法の異なる便器上面設備に対し共通のベースプレートを適用できるようにすることを目的とする。
【００１９】
【課題を解決するための手段】
本発明の便器上面設備は、洋風便器の後部上面に設置される便器上面設備であって、ベースプレートと、該ベースプレートに上方から結合したカバーとによって外殻が構成されている便器上面設備において、該ベースプレートは、該洋風便器の後部上面の前側に配置される前半体と、該後部上面の後側に配置される後半体とを有することを特徴とするものである。
【００２０】
かかる便器上面設備にあっては、ベースプレートが前半体と後半体とで構成されているので、便器上面設備の前後方向寸法に合わせて前半体と後半体との相対位置を調整することにより、種々の機種の便器上面設備に共通のベースプレートを採用することが可能となる。
【００２１】
本発明では、前半体と後半体の一方に、前後方向に延在した凹所が設けられ、他方に、該凹所に係合した凸所が設けられていることが好ましい。
【００２２】
【発明の実施の形態】
以下、図１を参照して実施の形態について説明する。図１の（ａ）図及び（ｂ）図は実施の形態に係る便器上面設備のベースプレートの斜視図、（ｃ）図は（ｂ）図のＣ−Ｃ線断面図である。
【００２３】
この実施の形態に係るベースプレート１は、前半体２と後半体３との２体にて構成されている。前半体２は、洋風便器後部上面の前部側に配置され、後半体３は、洋風便器後部上面の後部側に配置される。
【００２４】
前半体２には、洋風便器の便座取付ボルト挿通孔１０ａ（図２（ａ）参照）に挿通されるボルトを通すためのボルト挿通孔２ａ，２ａが設けられている。後半体３には、ロータンクのフロート弁装置の下端部を下方に臨ませるための開口３ｂが設けられると共に、この開口３ｂの左右両側にそれぞれボルト挿通孔３ａ，３ａが設けられている。このボルト挿通孔３ａに挿通されたボルトは、洋風便器のロータンク取付用ボルト挿通孔１０ｂ（図２（ａ）参照）に挿通される。
【００２５】
前半体２の後縁中央からは前方に向って食い込むように凹所２Ａが形成され、後半体３の前縁中央からは前方に向って舌片状の凸所３Ａが突設されている。この凸所３Ａと凹所２Ａとは、平面視形状が方形であり、前後方向にスライド可能に係合している。なお、この実施の形態では、（ｃ）図の通り、凹所２Ａの側辺部と凸所３Ａの側辺部とにそれぞれ段差部２ｄ，３ｄが設けられ、これらの段差部２ｄ，３ｄ同士が摺動自在に重なり合っている。この実施の形態では、段差部２ｄは段差部３ｄの上側に張り出しているが、逆に段差部２ｄが段差部３ｄの下側に張り出してもよい。また、段差部の代りに凹条と凸条とを設け、該凹条と凸条とを摺動自在に係合させてもよい。
【００２６】
この前半体２と後半体３とは、タンクカバー２２（図３参照）の前後寸法に合わせて相互間の間隔を調整する。（ａ）図はタンクカバー２２の前後方向寸法が最小の場合であり、前半体２の後縁と後半体３の前縁とが当接している。（ｂ）図は、それよりもタンクカバーの前後方向寸法が大きい場合であり、前半体２と後半体３との間に所要の間隙があいている。この間隙を覆うようにシートやカバープレート（図示略）を設けてもよい。
【００２７】
本発明では、前半体２と後半体３とは、それら同士の間隔をタンクカバーの前後方向寸法に合わせて調整した後、ビスや接着剤などにより固着して一体化されることが望ましい。このように前半体２と後半体３とを連結して一枚板状としたベースプレート１上に各種機器を設置し、それからタンクカバーを被せ、タンクカバーの下端縁をベースプレート１の周縁に結合することにより、便器上面設備が構成される。
【００２８】
このように、前半体２及び後半体３よりなるベースプレート１は、種々の前後方向寸法の便器上面設備に対して適用することが可能となり、便器上面設備の製作コストを低減することが可能となる。
【００２９】
なお、前半体２と後半体３とを寸法合わせ後にビス留めするために、前半体２及び後半体３に対し、前後方向に間隔をおいて多数のビス孔をあけておくのが好ましい。
【００３０】
上記実施の形態では、便器上面設備はタンクカバー設備であるが、便座ボックスについても本発明を適用することができる。
【００３１】
【発明の効果】
以上の通り、本発明によると、前後方向寸法が異なる種々の便器上面設備に対し、共通のベースプレートを採用し、コストダウンを図ることが可能となる。
【図面の簡単な説明】
【図１】（ａ）図及び（ｂ）図は実施の形態に係る便器上面設備のベースプレートの斜視図、（ｃ）図は（ｂ）図のＣ−Ｃ線断面図である。
【図２】洋風便器及び従来のベースプレートを示す斜視図である。
【図３】従来例を示す洋風便器設備の透視斜視図である。
【符号の説明】
１  ベースプレート
２  前半体
２Ａ  凹所
２ｄ  段差部
３  後半体
３Ａ  凸所
３ｄ  段差部
１０  洋風便器
１１  便鉢
１２  ベースプレート
１６  ロータンク
１８  温風乾燥装置
２２  タンクカバー
【図１】
2004346572.tif 000003
【図２】
2004346572.tif 000004
【図３】
2004346572.tif 000005